(57)【要約】  【課題】  配電用キャビネット等には、内部の湿度を一体に保つために、水分を吸収および排出可能な湿度調整部材が取付けてあるが、湿度調整部材に大量の水がかかると、湿度調整部材の吸湿特性が劣化してしまうという問題があった。  【解決手段】    吸水ポリマーを有する湿度調整部材を、不織布上に多孔質プラスチックを積層して形成した袋、例えばポリエステル不織布上に多孔質ポリエチレンを積層して形成した袋に収納し、湿度調整部材に大量の水がかからないようにしたものである。  【選択図】  図１
2006095457.tif 000002
【特許請求の範囲】
【請求項１】
吸水ポリマーを有する湿度調整部材を、不織布上に多孔質プラスチックを積層して形成した袋に収納したことを特徴とする袋入り湿度調整部材。
【請求項２】
不織布はポリエステル不織布であり、多孔質プラスチックは多孔質ポリエチレンであることを特徴とする袋入り湿度調整部材。
【発明の詳細な説明】
【技術分野】
【０００１】
本発明は、袋入り湿度調整部材に関するものである。
【背景技術】
【０００２】
例えば配電用キャビネット等の屋外電気設備においては、天候や季節変化による気温変動や、隙間からの湿気の流入等に起因する結露が内部に生じる。このような結露が生じると電気トラブルや盤に錆びが生じる等の問題が発生する。
【０００３】
そこで従来は、配電用キャビネット等の内部にシリカゲルや塩化カルシウム等の吸湿材料を入れていたが、これらの吸湿材料は吸湿する機能しか無いために早期に飽和してしまい、吸湿機能が停止して結露が再発するという問題があった。
【０００４】
そこで、特開２００３−１１９４０３号や特開２００４−８４２号に記載されているような、水分を吸収するのみでなく、吸収した水分を排出できる湿度調整部材が開発されている。特開２００３−１１９４０３号に記載されているものは、吸水ポリマーをシート状に形成したものであり、特開２００４−８４２号に記載されているものは、不織布等の基材に吸収ポリマーを担持させたものである。このような湿度調整部材を使用すると、配電用キャビネット等の内部の湿度を長期間にわたって所定範囲に調整することができるという利点がある。
また、吸放湿機能を有する湿度調整部材は湿度を一定に保つことが可能なため、例えば、屋外で使用する精密機器の保管や、生鮮品の保管にも使用が検討されている。
【０００５】
【特許文献１】特開２００３−１１９４０３号公報
【特許文献２】特開２００４−８４２号公報
【発明の開示】
【発明が解決しようとする課題】
【０００６】
例えば、カメラ等の屋外で使用する機器は、冬場など屋外にて使用した後室内等で保管箱等に入れて保管した場合に、機器本体が冷えているため機器の表面上で結露を起こすことがある。また、生花等の生鮮品は商品自体に水分が付着したまま、保管や輸送を行う場合が多い。前記結露や水分が湿度調整部材に付着することがある。
【０００７】
また、屋外電気設備を雨天時に保守する必要がある場合、一時的に雨水に曝される場合がある。
【０００８】
しかしながら上記湿度調整部材は、吸収ポリマーを有しているために、水が直接かかると吸収ポリマーが水分を吸収しゲル化して形状が崩れたり、ポリマーが凝集して吸放湿速度の低下を招くという問題があった。
【０００９】
そこで特開２００４−８４２号に記載されているように、湿度調整部材をポリプロピレン系やフッ素系の材料で形成した不織布で包み、水が湿度調整部材に直接かからないようにしたものが提案されている。
【００１０】
しかし不織布で形成された袋は、大量の水分がかかった際に水を吸収しやすく、湿度調整部材が大量の水分を吸収してしまうという問題があった。
【課題を解決するための手段】
【００１１】
本発明は上記問題点に鑑みてなされたもので、大量の水分がかかった際にも湿度調整部材が吸水することない袋付き湿度調整部材を提供するもので、その構成は、吸水ポリマーを有する湿度調整部材を、不織布上に多孔質プラスチックを積層して形成した袋に収納したことを特徴とするものである。
【００１２】
不織布をポリエステル不織布、多孔質プラスチックを多孔質ポリエチレンで形成すると好ましい。
【発明の効果】
【００１３】
本発明に係る袋付き湿度調整部材は、吸水ポリマーを有する湿度調整部材を、不織布上に多孔質プラスチックを積層して形成した袋に収納した構成であるため、大量の水分がかかっても該水分が湿度調整部材まで浸透するのを有効に防止することができる。
【００１４】
特に、不織布をポリエステル不織布、多孔質プラスチックを多孔質ポリエチレンで形成すると水の浸透を確実に防止することができる。
【発明を実施するための最良の形態】
【００１５】
以下、本発明に係る袋付き湿度調整部材の一実施形態を図面を用いて詳細に説明する。
図１は本発明の係る袋付き湿度調整部材の断面図であり、湿度調整部材１０と袋材２０とから構成されている。
【００１６】
湿度調整部材１０は、例えば特開２００３−１１９４０３号に記載されているように、吸水性に優れた吸水ポリマーを非加硫ゴムに所定量（組成全体の４０〜９０重量％）配合してなるゴム組成物を非加硫のまま成形して作製したものである。なお、湿度調整部材１０としては、特開２００４−８４２号に記載されているように、ＳＡＰ／Ｓ−ＭＦＣを基材に塗布した高吸水シートであってもよい。
【００１７】
袋材２０は図２に示すように、不織布２１上に多孔質プラスチック２２を積層した構造を有している。不織布２１としては、ポリプロピレン不織布、ポリエステル不織布、ポリエチレン不織布等が使用され、多孔質プラスチック２２としては、多孔質ポリエチレン、多孔質フッ素樹脂、多孔質ポリプロピレン等が使用される。
不織布２１を有することにより、機械的強度が向上し、さらに袋加工時の熱融着を容易にすることで、実使用時の透湿防水機能の信頼性を高めることが可能である。
【実施例１】
【００１８】
アクリルゴム（アアクロンＰＳ２５０（商品名）、トウペ（株）製）４０質量部、アクリル酸塩系高級水ポリマー（サンフレッシュＳＴ５００ＭＰＳ（商品名）、三洋化成（株）製）６０質量部、可塑剤、ステアリン酸、酸化チタンおよびカーボンブラックをニーダーで混合し、カレンダロールにて圧延して、厚さ２ｍｍの湿度調整部材のシートを得た。
【００１９】
一方、ポリエステル不織布上に多孔質ポリエチレンを積層して、厚さ０．０８ｍｍ、透湿度抵抗０．１１（ｍ２・Ｓ・Ｐａ／μｇ）、防水性６０（ｋＰａ）の袋を作成した。なお透湿抵抗はＪＩＳ  Ａ６１１１によって測定し、また防水性はＪＩＳ  Ｌ１０９２  Ａ法によって測定した。
【００２０】
上記湿度調整部材をシートサイズ５０×１００ｍｍにカットし、上記袋に入れ、袋の口を溶着して袋付き湿度調整部材を作成した（本願製品）。
【００２１】
この袋付き湿度調整部材に噴水を当て、噴水前後での湿度調整部材の吸湿状態を測定した（噴水試験）。その結果を表１に示す。
【００２２】
【表１】
2006095457.tif 000003
【００２３】
表１から明らかなように、本願製品は湿度調整部材の吸湿が極めて少なく膨潤することがない。なお比較製品の袋は、ポリプロピレン不織布のみのものである。
【００２４】
次に、本願製品を水中に浸漬して湿度調整部材に水が浸透するか否かを試験した（浸水試験）。
この浸水試験は本願製品を５分間水中に浸漬し、その後に湿度調整部材の質量を測定することによりおこなった。その結果を表２に示す。
【００２５】
【表２】
2006095457.tif 000004
【００２６】
表２から明らかなように、本願製品は湿度調整部材の質量増加が認められず、また湿度調整部材の膨潤も認められなかった。
【００２７】
上記のように本願の袋は水分を通しに難いことが明らかになったが、湿度調整部材は吸湿と放湿を行なう必要があるので、袋は水蒸気を通さなければならない。そこで袋が水蒸気を通すか否かを調べるために、吸放湿試験を行った。
【００２８】
この吸放湿試験は、図３に示すようなカップ試料５０をＪＩＳ  Ｚ０２０８に準拠して作成して行った。すなわちカップ試料５０は、湿度調整部材収納部５１と、該湿度調整部材収納部５１の上部に設けられ袋材取り付け部５２を備えた円形のもので、湿度調整部材収納部５１に湿度調整部材１０を収納し、袋材取り付け部５２に袋材２０を取り付けて使用するものである。なお、袋材取り付け部５２の外周には、ろう材収納部５３が設けられており、該ろう材収納部５３にろう材５４を充填することにより、袋材１０が袋材取り付け部５２に気密に取り付けられるようになっている。これによって湿度調整部材収納部５１内には袋材２０を通してのみ水蒸気が出入りすることになる。
【００２９】
上記カップ試料を、恒温恒湿槽に入れ、恒温恒湿槽の温度を４０℃、湿度を９８％および２０％に変化させて湿度調整部材の吸湿率を測定した。その結果を図４に示す。なお、比較のために、ポリプロピレン不織布のみの袋材についても同様に測定した。
【００３０】
図４から明らかなように、本願製品で使用する袋材は、従来のポリプロピレン不織布のみの袋材と略同様な吸放湿特性を有しており、従来品と同様に水蒸気を吸収及び排出できることが分かる。
【００３１】
なお上記実施例においては、袋材としてポリエステル不織布上に多孔質ポリエチレンを積層して形成したものを示したが、本発明で使用する袋材は、不織布上に多孔質プラスチックを積層して形成したものであればよく、例えば、ポリエステル不織布上に多孔質フッソ樹脂を積層して形成した袋材や、ポリプロピレン不織布上に多孔質ポリエチレンを積層して形成した袋材でもよく、これらのものも実施例にした値と同様な値を示すことが確認されている。
【００３２】
また、本発明で使用する湿度調整部材は、水分が吸収・排出できるものであればよく、その材質は特に限定するものではない。
【図面の簡単な説明】
【００３３】
【図１】本発明に係る袋付き湿度調整部材の説明図
【図２】本発明で使用する袋材の断面図
【図３】カップ試料の説明図
【図４】収放湿試験結果を示す図
【００３４】
１０    湿度調整部材
２０    袋材
２１    不織布
２２    多孔質プラスチック
５０    カップ試料
５１    湿度調整部材収納部
５２    袋材取り付け部
５３    ろう材収納部
５４    ろう材
【図１】
2006095457.tif 000005
【図２】
2006095457.tif 000006
【図３】
2006095457.tif 000007
【図４】
2006095457.tif 000008